(57)【要約】【課題】  混雑した競馬場やウィンズで締切り時間を気にしながら「投票カード」のマーク欄を必死に手入力したが自動券売機のエラー表示ではねられる。多数頭のＢＯＸ投票のため、組み合せ整理と「投票カード」の手入力に時間がかかり締切りに間に合わなかった。多様化した「投票カード」を原始的な手書きマークで埋めることに問題があります。【解決手段】  投票馬番が決定したら「投票カード」へのマーク記入は、単純なルーチンワークです。また、ながし、ＢＯＸの組み合せも簡単なプログラムで瞬時にＰＣが演算します。プリンター内臓のモバイルＰＣで液晶モニターに表示される指示通りキーボードから入力すれば正確、迅速に「投票カード」の所定の個所にマークが印刷されます。【選択図】図面１【特許請求の範囲】
【請求項１】
中央競馬および地方競馬においてＪＲＡ自動券売機による勝馬投票券を購入する為に必要な「投票カード」にマークを印刷するプリンター内臓モバイルＰＣです。キーボード、液晶モニター、内臓プリンター、プログラムされたＣＰＵ、電池、ＵＳＢケーブルコネクターより構成します。
【請求項２】
キーボード（図面１）は競馬場選択、レース番号の競馬場関連と投票式別の単勝、複勝、枠連、ワイド、馬複、馬単、３連複＊「軸１〜２頭」、３連単と流し流し全通り、ＢＯＸ、＊印のＢＯＸ、および投票馬番（枠番）選択の１〜１８があります。さらに金額入力用０、小計、累計、配当入力、訂正、確認、印刷開始、電源入切電卓として使用時の＋−×÷＝で、合計４７個のボタンで構成されます。
なほ、馬番ボタンの１〜９は購入金額入力と電卓用数字入力に兼用とします。
【請求項３】
液晶モニター（図面２）は入力順序の指示や入力された競馬場の表示、購入式別、投票馬番の表示、購入金額、さらに間違った入力へのエラー表示をおこないます。項目多数で画面に表示しきれないときはスクロール表示を行う。
【請求項４】
ＣＰＵ（図面３）は本システムのコントロール全般をおこないます。
キーボードの入力順序の指示、コードによる場名選択、式別と購入方法（ながし、ＢＯＸ）による「投票カード」の選択、入力ミスの警告、購入馬番の組み合せ、購入金額計算、プリンターへ印刷指示をおこないます。
【請求項５】
確認された内容をプリンター（図面３）は挿入された「投票カード」の所定の個所にマーク印刷をＣＰＵの指示により、正確、迅速におこないます。
【請求項６】
ＣＰＵによるボックス組み合せ（１）
投票馬番点数  ２点    ３点    ４点    ５点      ６点      ７点      ８点
枠連，馬連，ワイド１      ３      ６      １０      １５      ２１      ２８
馬単              ２      ６      １２    ２０      ３０      ４２      ５６
３連複                    １      ４      １０      ２０      ３５      ５６
ＣＰＵによるボックス組み合せ（２）  （フルゲート１８頭まで組合せが可能）
投票馬番点数９点    １０点    １１点    １２点    １３点    １４点    １５点
馬連，ワイド    ３６    ４５      ５５      ６６      ７８      ９１      １０５
馬単            ７２    ９０      １１０    １３２    １５６    １８２    ２１０
３連複          ８４    １２０    １６５    ２２０    ２８６    ３６４    ４５５
【請求項７】
本システムのプリンターはノートパソコンとＵＳＢケーブル（図面４）で結びパソコン用プログラムより、「投票カード」のマーク印刷ができます。
【発明の詳細な説明】
【発明の詳細な説明】
【技術分野】
【０００１】  本発明はＪＲＡ自動券売機に必要な「投票カード」にマーク印刷をするプリンター内臓モバイルＰＣに関する。
【背景技術】
【０００２】
【発明の開示】
【０００３】
【発明が解決しようとする課題】
【０００４】  平成１１年以前は勝馬投票券の種類が単勝、複勝、枠連、馬連と少なく、マンツウマン対応の券売窓口が多くあり、「投票カード」記入ミスや洩れはその場で修正された。しかし平成１１年１０月にワイド、平成１４年７月に一挙に３連複（軸１〜２頭流し、軸なしＢＯＸ，軸１〜２頭ＢＯＸ）、馬単（１〜２着ながし）と種類が大幅に増加し平成１５年５月から全国的発売になり、一部地方競馬では３連単も採用されました。加えて券売窓口が人件費の抑制で縮小され、自動券売機が投票券購入の主力となりました。勝馬投票券の多様化は検討、選択と組み合せに以前より時間を要し、無人券売機は記入ミス、洩れにはカードの再作成を要求します。
【０００５】レース間隔は３５分で直前オッズによる投票馬番の検討等をしていると、多数頭の組み合せと整理、複数「投票カード」の作成に時間がかかり、投票締め切り（発走２分前）に間に合わない事態が多発しています。
【０００６】  近々実施される、ＪＲＡ全開催競馬場の全レースへの投票（合計３６レース）受付が各競馬場で開始されれば、「投票カード」記入への時間短縮と正確さがますます必要となります。
【課題を解決するための手段】
【０００７】  ＣＰＵ内臓プログラムによりキーボードより競馬場コード、レース番号、式別、購入方法、投票馬番、金額等を液晶モニターの指示に従い入力すれば画面に入力内容が表示され、確認の上、該当「投票カード」を挿入すれば即座に正確なマーク印刷が実行される。
【発明の効果】
【０００８】  土曜日曜日の混雑した競馬場、特に場外馬券売場ウィンズでは、立ちながら「投票カード」に記入するため、ミスや記入もれが多発するが本システムでは「投票カード」は正確、迅速にプリントアウトされる。
【０００９】  「投票カード」作成の時間が大幅に短縮できるため、勝馬投票に関し検討に十分な時間配分が可能である。
【００１０】  予めプログラムされているため、複雑な多数頭投票（各種ＢＯＸ、ながし）も瞬時に組み合せでき、液晶モニターで確認のうえ、該当カードの両面にもマーク印刷ができる。
【００１１】  投票馬番が多数頭のため、１枚の「投票カード」で記入できない場合、ＣＰＵが判断し、印刷済みのカードは排出され、新規該当カードの挿入指示をモニターに表示し、すべての組み合せ馬番のマーク印刷が終了するまで繰り返して実行します。
【００１２】  「投票カード」作成と同時に、投資金額が表示され、投票券売機へ入金金額が準備できる。また、配当金をその都度金額ボタン＋配当ボタンで登録すれば常時損益計算がなされ、＋−残高が表示される。
【００１３】  今後益々増える競馬場内インターネット用ノートパソコンに連繋するこにより「投票カード」手書きから解放されます。
【発明を実施するための最良の形態】
【００１４】  混雑した場所での使用を考慮し、出来るだけ小型、軽量な電卓サイズが望まれます。また、腰ベルト装着用ホールダーやショルダーバッグ型ホールダーに収納します。
【産業上の利用可能性】
【００１５】  直接的にはモバイル産業に新規事業を創造します。
売上３兆円を超し、総人口の１割以上の国民が参加する、巨大レジャー産業ＪＲＡで、「投票カード」にかかわるトラブルが減少すれば、トラブル対応人員の削減、自動券売機の縮小等の、間接的ですが経済的メリットがある。
【図面の簡単な説明】
【００１６】
【図面１】
正面図
【図面２】
上面図
【図面３】
側面図
【図面４】
下面図
【符号の説明】
【００１７】１  キーボード
２  液晶モニター
３  内臓プリンター
４  ＣＰＵ
５  電池
６  カード挿入口
７  ＵＳＢケーブルコネクター
【図１】
2005025708.tif 000002
【図２】
2005025708.tif 000003
【図３】
2005025708.tif 000004
【図４】
2005025708.tif 000005